(57)【要約】      （修正有）【課題】低コストでブロー成形が容易な薬剤タンクを備える背負式散布装置を提供する。【解決手段】作業者が携帯しながら薬剤を散布する背負式散布装置１であって、作業者が背負い、薬剤を貯留する薬剤タンク２と、薬剤タンク２に取り付けられ、薬剤タンク２の前部又は後部を覆うブラケットと、を備え、薬剤タンク２は、外周面において外方から内側に凹む凹部２３ａと、凹部２３ａに形成されブラケットと対面する板状の薬剤タンク側取付け部２３ｂ，２４ｂと、薬剤タンク側取付け部２３ｂ，２４ｂに設けられ薬剤タンク２にブラケットを締結するための薬剤タンク側貫通孔２３ｃ，２４ｃと、を有し、薬剤タンク側取付け部２３ｂ，２４ｂは、外側の縁部２３ｄ，２４ｄが、凹部２３ａに隣接した位置における薬剤タンク２の外周面２３ｅに位置を揃えられている。【選択図】図３
2014117671.tif 000002
【特許請求の範囲】
【請求項１】
作業者が携帯しながら薬剤を散布する背負式散布装置（１）であって、
前記作業者が背負い、薬剤を貯留する薬剤タンク（２）と、
前記薬剤タンク（２）に取り付けられ、前記薬剤タンク（２）の前部又は後部を覆うブラケット（６）と、を備え、
前記薬剤タンク（２）は、外周面において外方から内側に凹む凹部（２３ａ，２４ａ）と、前記凹部（２３ａ，２４ａ）に形成され前記ブラケット（６）と対面する板状の薬剤タンク側取付け部（２３ｂ，２４ｂ）と、前記薬剤タンク側取付け部（２３ｂ，２４ｂ）に設けられ前記薬剤タンク（２）に前記ブラケット（６）を締結するための薬剤タンク側貫通孔（２３ｃ，２４ｃ）と、を有し、
前記薬剤タンク側取付け部（２３ｂ，２４ｂ）は、外側の縁部（２３ｄ，２４ｄ）が、前記凹部（２３ａ，２４ａ）に隣接した位置における薬剤タンク（２）の外周面（２３ｅ，２４ｅ）に位置を揃えられている、背負式散布装置（１）。
【発明の詳細な説明】
【技術分野】
【０００１】
本発明は、背負式散布装置に関する。
【背景技術】
【０００２】
従来、背負式散布装置として、例えば薬液を噴霧する噴霧器が知られている（例えば特許文献１）。特許文献１の噴霧器は、薬液を貯留する薬液タンク、薬液タンク内の薬液を噴霧ノズルに圧送するポンプ、及び、噴霧圧を調節する調圧弁等を備えている。この噴霧器では、薬液タンクの下部であって、前側（前後方向において作業者と当接する側）の部分に、前方、下方及び側方に開放された凹部が設けられている。凹部には、ポンプ及び調圧弁が配置され、ポンプ及び調圧弁を覆うようにカバー（ブラケット）が取り付けられている。
【０００３】
このような噴霧器にあっては、通常、薬液タンク（薬剤タンク）はブロー成形により、ブラケットは射出成形によりそれぞれ成形される。
【０００４】
薬剤タンク及びブラケットには、これらを互いに締結するための構造を設ける必要がある。一般的には、薬剤タンク及びブラケットに、その縁部から外方に突出する突出部をそれぞれ成形し、これに締結孔をそれぞれ設けて固定ネジ及びナットにより互いに締結する方法が採られている。また、薬剤タンク側にインサートナットを設けて固定ネジによりブラケットを締結する方法もある。
【先行技術文献】
【特許文献】
【０００５】
【特許文献１】特許第４１８１４７４号公報
【発明の概要】
【発明が解決しようとする課題】
【０００６】
しかしながら、薬剤タンクの縁部に突出部を設ける方法では、ブロー成形工程において突出部にバリが大きく発生するため、このバリを除去する工程が必要となり、コストアップの要因となっている。他方、薬剤タンクにインサートナットを設ける方法では、薬剤タンクの成形性を考慮しながら、インサートナット周囲のブロー成形肉厚を厚くしたり、ブロー成形材料の肉まわりを確実にしたりする必要があるため、形状の自由度が制限される。また、インサートナットを設ける工程がコストアップの要因となっている。
【０００７】
そこで本発明は、低コストでブロー成形が容易な薬剤タンクを備える背負式散布装置を提供することを目的とする。
【課題を解決するための手段】
【０００８】
本発明の背負式散布装置（１）は、作業者が携帯しながら薬剤を散布する背負式散布装置（１）であって、作業者が背負い、薬剤を貯留する薬剤タンク（２）と、薬剤タンク（２）に取り付けられ、薬剤タンク（２）の前部又は後部を覆うブラケット（６）と、を備え、薬剤タンク（２）は、外周面において外方から内側に凹む凹部（２３ａ，２４ａ）と、凹部（２３ａ，２４ａ）に形成されブラケット（６）と対面する板状の薬剤タンク側取付け部（２３ｂ，２４ｂ）と、薬剤タンク側取付け部（２３ｂ，２４ｂ）に設けられ薬剤タンク（２）にブラケット（６）を締結するための薬剤タンク側貫通孔（２３ｃ，２４ｃ）と、を有し、薬剤タンク側取付け部（２３ｂ，２４ｂ）は、外側の縁部（２３ｄ，２４ｄ）が、凹部（２３ａ，２４ａ）に隣接した位置における薬剤タンク（２）の外周面（２３ｅ，２４ｅ）に位置を揃えられている。
【０００９】
この背負式散布装置（１）における薬剤タンク（２）は、ブラケット（６）を薬剤タンク（２）に取り付けるための構造として、薬剤タンク（２）の縁部から外方へ突出する突出部が成形されておらず、代わりに、外周面において外方から内側に凹む凹部（２３ａ，２４ａ）と、この凹部（２３ａ，２４ａ）に形成されブラケット（６）と対面する板状の薬剤タンク側取付け部（２３ｂ，２４ｂ）とを有しており、薬剤タンク側取付け部（２３ｂ，２４ｂ）は、外側の縁部（２３ｄ，２４ｄ）が、凹部（２３ａ，２４ａ）に隣接した位置における薬剤タンク（２）の外周面（２３ｅ，２４ｅ）に揃えられている。この構造によれば、ブロー成形に際してバリの発生が抑制されるために、バリを除去する工程が簡略化される。また、ブラケット（６）を薬剤タンク（２）に取り付けるには、薬剤タンク側取付け部（２３ｂ，２４ｂ）に設けられた薬剤タンク側貫通孔（２３ｃ，２４ｃ）を使用するため、薬剤タンク（２）にインサートナットを設ける必要がなく、このため薬剤タンク（２）のブロー成形における形状の自由度が制限されない。すなわち、この背負式散布装置（１）は、低コストでブロー成形が容易な薬剤タンク（２）を備える背負式散布装置（１）である。
【発明の効果】
【００１０】
本発明によれば、低コストでブロー成形が容易な薬剤タンクを備える背負式散布装置を提供することができる。
【図面の簡単な説明】
【００１１】
【図１】本発明の実施形態に係る背負式散布装置の背面図である。
【図２】図１に示す背負式散布装置を後方且つ下方から見た斜視図である。
【図３】図２においてブラケットが外された背負式散布装置を示す斜視図である。
【図４】薬剤タンクの正面図である。
【図５】ブラケットを薬剤タンク側から見た図である。
【図６】薬剤タンク側取付け部の拡大斜視図である。
【発明を実施するための形態】
【００１２】
以下、本発明の好適な実施形態について、図面を参照しながら詳細に説明する。なお、以下の説明において、上下及び前後の語は、装置を背負った作業者を基準とした方向であり、左右の語は、装置を背負った作業者を外部から視た場合を基準とした方向である。
【００１３】
図１は、本発明の実施形態に係る背負式散布装置の背面図、図２は、図１に示す背負式散布装置を後方且つ下方から見た斜視図、図３は、図２においてブラケットが外された背負式散布装置を示す斜視図、図４は、薬剤タンクの正面図、図５は、ブラケットを薬剤タンク側から見た図、図６は、薬剤タンク側取付け部の拡大斜視図である。
【００１４】
図１〜図４に示されるように、背負式散布装置１は、作業者が薬剤タンク２を携帯しながら、薬剤タンク２内に貯留された薬剤（ここでは液体とする）を散布するものである。背負式散布装置１は、薬剤タンク２に加えて、ポンプ３、調圧弁４及びモータ５を有するポンプユニットＵ（図３参照）を備えており、このポンプユニットＵを覆うブラケット６が薬剤タンク２に取り付けられている。ポンプユニットＵは、モータ５によりポンプ３を駆動し、薬剤タンク２内の薬剤をポンプ３及び調圧弁４を通してノズル（図示せず）から散布するものである。なお、図面において、作業者が薬剤タンク２等を背負うための背負いバンド、及び、薬剤タンク２の前面に取付けられ作業者の背中に当接する背当ては取り外されている。
【００１５】
図３に示されるように、薬剤タンク２は、ポンプユニットＵ等が配置されるポンプユニット収容凹部２１を有している。ポンプユニット収容凹部２１は、薬剤タンク２の下部であって後部の外周面に凹設されている。ポンプユニット収容凹部２１は、ブラケット６が取り外された状態において、下方、後方及び左右側方に向って開放されている。
【００１６】
薬剤タンク２は、外周面のうち右側面２３及び左側面２４において、それぞれ外方から内側に凹む薬剤タンク側凹部２３ａ，２４ａを有する。また、薬剤タンク２は、薬剤タンク側凹部２３ａ，２４ａを設けることによりブラケット６側（後ろ側）に形成された、薬剤タンク側取付け部２３ｂ，２４ｂをそれぞれ有する。薬剤タンク側取付け部２３ｂ，２４ｂは、具体的には、ブラケット６と対面する板状の厚肉凹壁である。また、薬剤タンク側凹部２３ａ，２４ａは、前側へ延びて外部開放されている。また、図４及び図６に示されるように、薬剤タンク側取付け部２３ｂ，２４ｂは、その外側の縁部２３ｄ，２４ｄが、薬剤タンク側凹部２３ａ，２４ａに隣接した位置における薬剤タンク２の外周面２３ｅ，２４ｅにそれぞれ位置を揃えられ、直線状をなしている。
【００１７】
更に、薬剤タンク側取付け部２３ｂ，２４ｂには、薬剤タンク２にブラケット６を取り付けるための薬剤タンク側貫通孔２３ｃ，２４ｃがそれぞれ設けられている。
【００１８】
また、薬剤タンク２は、外周面のうち底面２５において、外方から内側に凹む薬剤タンク側凹部２５ａを有する。また、薬剤タンク２は、薬剤タンク側凹部２５ａを設けることによりブラケット６側（後ろ側）に形成された、薬剤タンク側取付け部２５ｂを有する。薬剤タンク側取付け部２５ｂは、具体的には、ブラケット６と対面する板状の厚肉凹壁である。また、薬剤タンク側凹部２５ａは、前側へ延びて外部開放されている。更に、薬剤タンク側取付け部２５ｂには、薬剤タンク２にブラケット６を取り付けるための薬剤タンク側貫通孔２５ｃがそれぞれ設けられている。
【００１９】
ブラケット６は、底部６１、後部６２、右側部６３及び左側部６４を有し、これらが、薬剤タンク２のポンプユニット収容凹部２１をそれぞれ下方、後方、右側方及び左側方から覆うように薬剤タンク２に取り付けられている。また、図２に示されるように、薬剤タンク２及びブラケット６は、それぞれの下端部に、下方に突出する一対の脚部２６，２６、及び脚部６７，６７を有している。
【００２０】
ブラケット６は、図２に示されるように、右側部６３及び左側部６４において、それぞれ外方から内側に凹むブラケット側凹部６３ａ，６４ａを、薬剤タンク側凹部２３ａ，２４ａに対応して有する。また、ブラケット６は、図５に示されるように、ブラケット側凹部６３ａ，６４ａを設けることにより薬剤タンク２側（前側）に形成されたブラケット側取付け部６３ｂ，６４ｂをそれぞれ有する。ブラケット側取付け部６３ｂ，６４ｂは、具体的には、薬剤タンク側取付け部２３ｂ，２４ｂと対面する板状の凹壁である。更に、ブラケット側取付け部６３ｂ，６４ｂには、薬剤タンク側取付け部２３ｂ，２４ｂに取り付けるためのブラケット側貫通孔６３ｃ，６４ｃが薬剤タンク側貫通孔２３ｃ，２４ｃに対応してそれぞれ設けられている。なお、ブラケット６の底部６１には、上記のようなブラケット側凹部６３ａ，６４ａは形成されていないが、薬剤タンク２側に取り付けるための貫通孔６１ｃを有する突起６１ｂが下方へ延びるように設けられている。
【００２１】
図２に示されるように、ブラケット６の右側部６３及び左側部６４に形成されているブラケット側取付け部６３ｂ，６４ｂは、薬剤タンク２の右側面２３及び左側面２４に形成されている薬剤タンク側取付け部２３ｂ，２４ｂと互いに板状の面同士が合わされて対面しており、ブラケット側貫通孔６３ｃ，６４ｃ及び薬剤タンク側貫通孔２３ｃ，２４ｃに対して、締結ネジ７１がブラケット側取付け部６３ｂ，６４ｂ側から挿通され、薬剤タンク側から締結ナット（図示せず）で締められることにより、薬剤タンク２とブラケット６とが互いに締結されている。また、ブラケット６の底部６１に設けられた突起６１ｂは、薬剤タンク側取付け部２５ｂと対面しており、両者に設けられた貫通孔６１ｃ，２５ｃを利用して互いに締結ネジ７１及びナットで締められている。
【００２２】
以上のように構成された背負式散布装置１では、薬剤タンク２は、ブラケット６を薬剤タンク２に取り付けるための構造として、薬剤タンク２の縁部から外方へ突出する突出部が成形されておらず、代わりに、外周面において外方から内側に凹む薬剤タンク側凹部２３ａ，２４ａと、この薬剤タンク側凹部２３ａ，２４ａに形成されブラケット６と対面する板状の薬剤タンク側取付け部２３ｂ，２４ｂとを有しており、薬剤タンク側取付け部２３ｂ，２４ｂは、外側の縁部２３ｄ，２４ｄが薬剤タンク側凹部２３ａ，２４ａに隣接した位置における薬剤タンク２の外周面２３ｅ，２４ｅに揃えられている。このため、ブロー成形に際してバリの発生が抑制されるために、バリを除去する工程が簡略化される。
【００２３】
また、ブラケット６を薬剤タンク２に取り付けるには、薬剤タンク側取付け部２３ｂ，２４ｂに設けられた薬剤タンク側貫通孔２３ｃ，２４ｃを使用するため、薬剤タンク２にインサートナットを設ける必要がなく、このため薬剤タンク２のブロー成形における形状の自由度が制限されない。すなわち、薬剤タンク２へのモールド部品が不要となるため、薬剤タンク２の成形性が向上する。更に、インサートナットが金属である場合、薬剤タンク２をリサイクルする際に薬剤タンク２とは材質の異なる部材の分別作業が必要となるが、本実施形態では不要となるため、環境負荷を低減できると共に、分別工程を削減することができる。以上によれば、この背負式散布装置１は、低コストでブロー成形が容易な薬剤タンク２を備える背負式散布装置１となる。
【００２４】
また、ブラケット６が、上記のとおりブラケット側凹部６３ａ，６４ａとブラケット側取付け部６３ｂ，６４ｂを有し、ブラケット側取付け部６３ｂ，６４ｂには薬剤タンク側取付け部２３ｂ，２４ｂに締結するためのブラケット側貫通孔６３ｃ，６４ｃが設けられているため、薬剤タンク側取付け部２３ｂ，２４ｂとブラケット側取付け部６３ｂ，６４ｂとが互いに対面する恰好となり、それぞれの貫通孔２３ｃ，２４ｃ，６３ｃ，６４ｃを使用して薬剤タンク２とブラケット６とを互いに締結することが容易である。
【００２５】
以上、本発明の好適な実施形態について説明したが、本発明は上記実施形態に何ら限定されるものではない。例えば、上記実施形態では、ブラケット６が薬剤タンク２の後部に取り付けられる態様を示したが、ブラケット６が薬剤タンク２の前部に取り付けられる態様としてもよい。
【符号の説明】
【００２６】
１…背負式散布装置、２…薬剤タンク、６…ブラケット、２３ａ，２４ａ…薬剤タンク側凹部、２３ｂ，２４ｂ…薬剤タンク側取付け部、２３ｃ，２４ｃ…薬剤タンク側貫通孔、２３ｄ，２４ｄ…外側の縁部、２３ｅ，２４ｅ…薬剤タンク側凹部に隣接した位置における薬剤タンクの外周面、６３ａ，６４ａ…ブラケット側凹部、６３ｂ，６４ｂ…ブラケット側取付け部、６３ｃ，６４ｃ…ブラケット側貫通孔。
【図１】
2014117671.tif 000003
【図２】
2014117671.tif 000004
【図３】
2014117671.tif 000005
【図４】
2014117671.tif 000006
【図５】
2014117671.tif 000007
【図６】
2014117671.tif 000008